(57)【要約】【課題】吸収性物品の装着性を向上させつつ、幅方向の外側に排泄物が漏れてしまう恐れを軽減させる。【解決手段】吸収体（１０）と肌側シート（２）と中間シート（３）と非肌側シート（５）とを備えた吸収性物品（１）であって、肌側シート（２）は複数の貫通孔（Ｈ）を有し、幅方向の両側の端部に、非肌側に折り返された肌側折り返し部（２ｈ）を有し、肌側折り返し部（２ｈ）の先端部は、接合部（５ａ）で非肌側シート（５）に接合されている。幅方向における、吸収体（１０）の側端と肌側折り返し部（２ｈ）の側端（２ｅ）との距離が最も長い部分の幅方向に沿った断面において、幅方向において、一対の接合部（５ａ）の外側の側端（５ｅ）は、吸収体（１０）の側端より外側に配置されており、中間シート（３）が、幅方向の両側の端部に、非肌側に折り返された中間折り返し部（３ｈ）を有し、吸収体（１０）の側部の全領域を覆っている。【選択図】図４
2020036754.tif 000002
【特許請求の範囲】
【請求項１】
互いに直交する長手方向、幅方向、及び厚さ方向を備え、
吸収体と、
前記吸収体の前記厚さ方向の少なくとも肌側から吸収体を覆う肌側シートと、
前記吸収体と前記肌側シートとの間に配置された液透過性の中間シートと、
前記吸収体の前記厚さ方向の非肌側に設けられた非肌側シートと
を備えた吸収性物品であって、
前記肌側シートは、前記厚さ方向に貫通した複数の貫通孔を有し、前記幅方向の両側の端部に、前記非肌側に折り返された肌側折り返し部を有し、
前記肌側折り返し部の先端部は、前記厚さ方向における前記吸収体と前記非肌側シートとの間の、前記幅方向に並ぶ一対の接合部で、前記非肌側シートに接合されており、
前記幅方向における、前記吸収体の側端と前記肌側折り返し部の側端との距離が最も長い部分の前記幅方向に沿った断面において、
前記幅方向において、前記一対の接合部の外側の側端は、前記吸収体の側端より外側に配置されており、
前記中間シートが、前記幅方向の両側の端部に、前記非肌側に折り返された中間折り返し部を有し、前記吸収体の側部の全領域を覆っていることを特徴とする吸収性物品。
【請求項２】
請求項１に記載の吸収性物品であって、
前記肌側シートは、疎水性の樹脂シートであることを特徴とする吸収性物品。
【請求項３】
請求項１又は２に記載の吸収性物品であって、
前記吸収体は、液体吸収性繊維の集合体を有し、
前記液体吸収性繊維が前記中間シートと接触していることを特徴とする吸収性物品。
【請求項４】
請求項１から３のいずれか１項に記載の吸収性物品であって、
前記吸収体は、液体吸収性繊維の集合体を有し、
前記吸収体は、前記集合体の非肌側に吸収性ポリマーシートを有し、
前記吸収性ポリマーシートの前記幅方向の長さは、前記集合体の前記幅方向の長さより短いことを特徴とする吸収性物品。
【請求項５】
請求項４に記載の吸収性物品であって、
前記中間シートが、前記吸収性ポリマーシートの側部の全領域を覆っていることを特徴とする吸収性物品。
【請求項６】
請求項４又は５に記載の吸収性物品であって、
前記肌側シート、前記中間シート、及び前記集合体を前記厚さ方向に圧搾した線状圧搾部を有しており、
前記吸収性ポリマーシートは、前記線状圧搾部によって圧搾されておらず、
前記線状圧搾部は、前記長手方向に沿っていることを特徴とする吸収性物品。
【請求項７】
請求項１から６のいずれか１項に記載の吸収性物品であって、
前記肌側シートは、前記吸収体側に複数の凸部を備え、
前記凸部の頂部に前記貫通孔が設けられており、
前記肌側シートは、前記幅方向において、前記吸収体の側端より内側で、且つ、前記吸収体より前記肌側において折り返されていない非折り返し部を有し、
前記非折り返し部において、前記貫通孔の前記肌側の開口の大きさは、前記吸収体側の開口の大きさより大きいことを特徴とする吸収性物品。
【請求項８】
請求項７に記載の吸収性物品であって、
前記肌側シートのうち、前記幅方向において、前記吸収体より外側で、且つ、前記厚さ方向において前記吸収体の中央より肌側を肌側部位とし、
前記肌側シートのうち、前記幅方向において、前記吸収体より外側で、且つ、前記厚さ方向において前記吸収体の中央より非肌側を非肌側部位としたとき、
前記肌側部位は、肌側貫通孔を有し、
前記非肌側部位は、非肌側貫通孔を有し、
前記断面において、前記肌側貫通孔の前記幅方向の中心線は、前記吸収体の側端より外側であって、且つ、前記吸収体の側端に最も近接しており、
前記断面において、前記非肌側貫通孔の前記幅方向の中心線は、前記吸収体の側端より外側であって、且つ、前記吸収体の側端に最も近接しており、
前記肌側貫通孔の中心線は、前記非肌側貫通孔の中心線とずれていることを特徴とする吸収性物品。
【請求項９】
請求項１から８のいずれか１項に記載の吸収性物品であって、
前記幅方向において、
前記吸収体の一方側の側端から、前記一対の接合部の前記一方側の外側の側端までの距離が、
前記肌側折り返し部の前記一方側の側端から、前記一対の接合部の前記一方側の外側の側端までの距離より小さいことを特徴とする吸収性物品。
【請求項１０】
請求項１から８のいずれか１項に記載の吸収性物品であって、
前記幅方向において、
前記吸収体の一方側の側端から、前記一対の接合部の前記一方側の外側の側端までの距離が、
前記肌側折り返し部の前記一方側の側端から、前記一対の接合部の前記一方側の外側の側端までの距離以上であることを特徴とする吸収性物品。
【請求項１１】
請求項１から１０のいずれか１項に記載の吸収性物品であって、
前記断面において、
前記中間折り返し部の先端は、前記一対の接合部の外側の側端より前記幅方向の内側に位置することを特徴とする吸収性物品。
【発明の詳細な説明】
【技術分野】
【０００１】
本発明は、吸収性物品に関する。
【背景技術】
【０００２】
着用者の着衣に固定して使用する吸収性物品として、生理用ナプキン、パンティーライナー、及び吸収パッドがある。特許文献１に開示されたナプキン１のように、トップシート３が吸収性コア２１の肌側面及び側面を覆い、吸収性コア２１の非肌側面側でバックシート５に固定することで、装着性を向上させることが知られている。
【先行技術文献】
【特許文献】
【０００３】
【特許文献１】特開２０１６−２２１１３６
【発明の概要】
【発明が解決しようとする課題】
【０００４】
しかしながら、特許文献１に示されたナプキン１は、吸収性コア２１より肌側に設けられたティッシュ等のカバーシート２２によって、肌側から吸収した排泄物が吸収性コア２１に到達する前にカバーシート２２内で拡散してしまい、ナプキン１の幅方向の外側に到達しやすくなってしまう。ナプキン１のうち、吸収性コア２１の側端より幅方向の外側に付着した排泄物は、ナプキン１の外側に漏れてしまう恐れを生じていた。
【０００５】
本発明は、上記のような従来の問題に鑑みてなされたものであって、その目的は、吸収性物品の装着性を向上させつつ、幅方向の外側に排泄物が漏れてしまう恐れを軽減させることにある。
【課題を解決するための手段】
【０００６】
上記目的を達成するための主たる発明は、互いに直交する長手方向、幅方向、及び厚さ方向を備え、吸収体と、前記吸収体の前記厚さ方向の少なくとも肌側から吸収体を覆う肌側シートと、前記吸収体と前記肌側シートとの間に配置された液透過性の中間シートと、前記吸収体の前記厚さ方向の非肌側に設けられた非肌側シートとを備えた吸収性物品であって、前記肌側シートは、前記厚さ方向に貫通した複数の貫通孔を有し、前記幅方向の両側の端部に、前記非肌側に折り返された肌側折り返し部を有し、前記肌側折り返し部の先端部は、前記厚さ方向における前記吸収体と前記非肌側シートとの間の、前記幅方向に並ぶ一対の接合部で、前記非肌側シートに接合されており、前記幅方向における、前記吸収体の側端と前記肌側折り返し部の側端との距離が最も長い部分の前記幅方向に沿った断面において、前記幅方向において、前記一対の接合部の外側の側端は、前記吸収体の側端より外側に配置されており、前記中間シートが、前記幅方向の両側の端部に、前記非肌側に折り返された中間折り返し部を有し、前記吸収体の側部の全領域を覆っていることを特徴とする吸収性物品である。
本発明の他の特徴については、本明細書及び添付図面の記載により明らかにする。
【発明の効果】
【０００７】
本発明によれば、吸収性物品の装着性を向上させつつ、幅方向の外側に排泄物が漏れてしまう恐れを軽減させやすくなる。
【図面の簡単な説明】
【０００８】
【図１】図１は、生理用ナプキン１を肌側から見た平面図である。
【図２】図２は、ナプキン１を非肌側から見た平面図である。
【図３】図３は、図１中のＡ−Ａ矢視で示すナプキン１の概略断面図である。
【図４】図４は、図３に示す概略断面図のうち幅方向の端部を説明する図である。
【図５】図５は、図４中の部分Ｚについて拡大した図である。
【図６】図６は、別の実施形態におけるナプキン１の部分Ｚに相当する部分を説明する図である。
【発明を実施するための形態】
【０００９】
本明細書及び添付図面の記載により、少なくとも以下の事項が明らかとなる。
互いに直交する長手方向、幅方向、及び厚さ方向を備え、吸収体と、前記吸収体の前記厚さ方向の少なくとも肌側から吸収体を覆う肌側シートと、前記吸収体と前記肌側シートとの間に配置された液透過性の中間シートと、前記吸収体の前記厚さ方向の非肌側に設けられた非肌側シートとを備えた吸収性物品であって、前記肌側シートは、前記厚さ方向に貫通した複数の貫通孔を有し、前記幅方向の両側の端部に、前記非肌側に折り返された肌側折り返し部を有し、前記肌側折り返し部の先端部は、前記厚さ方向における前記吸収体と前記非肌側シートとの間の、前記幅方向に並ぶ一対の接合部で、前記非肌側シートに接合されており、前記幅方向における、前記吸収体の側端と前記肌側折り返し部の側端との距離が最も長い部分の前記幅方向に沿った断面において、前記幅方向において、前記一対の接合部の外側の側端は、前記吸収体の側端より外側に配置されており、前記中間シートが、前記幅方向の両側の端部に、前記非肌側に折り返された中間折り返し部を有し、前記吸収体の側部の全領域を覆っていることを特徴とする吸収性物品である。
【００１０】
このような吸収性物品によれば、吸収性物品の装着性を向上させつつ、幅方向の外側に排泄物が漏れてしまう恐れを軽減させやすくなる。
【００１１】
かかる吸収性物品であって、前記肌側シートは、疎水性の樹脂シートであることが望ましい。
【００１２】
このような吸収性物品によれば、排泄物が肌側シートに残りにくく、排泄物を貫通孔へ誘導しやすくなる。
【００１３】
かかる吸収性物品であって、前記吸収体は、液体吸収性繊維の集合体を有し、前記液体吸収性繊維が前記中間シートと接触していることが望ましい。
【００１４】
このような吸収性物品によれば、吸収体より幅方向の外側に排泄物が拡散されてしまう恐れを軽減させることができる。
【００１５】
かかる吸収性物品であって、前記吸収体は、液体吸収性繊維の集合体を有し、前記吸収体は、前記集合体の非肌側に吸収性ポリマーシートを有し、前記吸収性ポリマーシートの前記幅方向の長さは、前記集合体の前記幅方向の長さより短いことが望ましい。
【００１６】
このような吸収性物品によれば、幅方向の外側に排泄物が漏れてしまう恐れを軽減させやすくなる。
【００１７】
かかる吸収性物品であって、前記中間シートが、前記吸収性ポリマーシートの側部の全領域を覆っていることが望ましい。
【００１８】
このような吸収性物品によれば、幅方向の外側に排泄物が漏れてしまう恐れを軽減させやすくなる。
【００１９】
かかる吸収性物品であって、前記肌側シート、前記中間シート、及び前記集合体を前記厚さ方向に圧搾した線状圧搾部を有しており、前記吸収性ポリマーシートは、前記線状圧搾部によって圧搾されておらず、前記線状圧搾部は、前記長手方向に沿っていることが望ましい。
【００２０】
このような吸収性物品によれば、集合体までが圧搾されているので、素早く排泄物を下層に移行させつつ、吸収性ポリマーシートが圧搾されていないことにより、圧搾によって吸収性ポリマーが潰れて硬くなってしまう恐れを軽減し、集合体から移行された排泄物を素早く吸収できる。
【００２１】
かかる吸収性物品であって、前記肌側シートは、前記吸収体側に複数の凸部を備え、前記凸部の頂部に前記貫通孔が設けられており、前記肌側シートは、前記幅方向において、前記吸収体の側端より内側で、且つ、前記吸収体より前記肌側において折り返されていない非折り返し部を有し、前記非折り返し部において、前記貫通孔の前記肌側の開口の大きさは、前記吸収体側の開口の大きさより大きいことが望ましい。
【００２２】
このような吸収性物品によれば、肌側から排泄物を吸収しやすくする一方、吸収体から排泄物が肌側に戻ってしまう恐れを軽減させることができる。
【００２３】
かかる吸収性物品であって、前記肌側シートのうち、前記幅方向において、前記吸収体より外側で、且つ、前記厚さ方向において前記吸収体の中央より肌側を肌側部位とし、前記肌側シートのうち、前記幅方向において、前記吸収体より外側で、且つ、前記厚さ方向において前記吸収体の中央より非肌側を非肌側部位としたとき、前記肌側部位は、肌側貫通孔を有し、前記非肌側部位は、非肌側貫通孔を有し、前記断面において、前記肌側貫通孔の前記幅方向の中心線は、前記吸収体の側端より外側であって、且つ、前記吸収体の側端に最も近接しており、前記断面において、前記非肌側貫通孔の前記幅方向の中心線は、前記吸収体の側端より外側であって、且つ、前記吸収体の側端に最も近接しており、前記肌側貫通孔の中心線は、前記非肌側貫通孔の中心線とずれていることが望ましい。
【００２４】
このような吸収性物品によれば、ナプキンの幅方向の端部で肌側から吸収した排泄物を非肌側に透過させる恐れを軽減させることができる。
【００２５】
かかる吸収性物品であって、前記幅方向において、前記吸収体の一方側の側端から、前記一対の接合部の前記一方側の外側の側端までの距離が、前記肌側折り返し部の前記一方側の側端から、前記一対の接合部の前記一方側の外側の側端までの距離より小さいことが望ましい。
【００２６】
このような吸収性物品によれば、肌側折り返し部の一方側の側端から、一対の接合部の一方側の外側の側端までの距離以上である場合より吸収体の端部を着用者の身体に沿わせやすくなる。
【００２７】
かかる吸収性物品であって、前記幅方向において、前記吸収体の一方側の側端から、前記一対の接合部の前記一方側の外側の側端までの距離が、前記肌側折り返し部の前記一方側の側端から、前記一対の接合部の前記一方側の外側の側端までの距離以上であることが望ましい。
【００２８】
このような吸収性物品によれば、肌側折り返し部が接合部の外側の側端で肌側に折れ曲がっても吸収体の側端まで届かないので、排泄物を吸収した状態の吸収性物品に対して厚さ方向に圧力を加えた場合でも、吸収体から漏れだした排泄物が肌側折り返し部に付着する恐れを軽減させることができる。
【００２９】
かかる吸収性物品であって、前記断面において、前記中間折り返し部の先端は、前記一対の接合部の外側の側端より前記幅方向の内側に位置することが望ましい。
【００３０】
このような吸収性物品によれば、幅方向の外側に排泄物が漏れてしまう恐れを軽減させやすくなる。
【００３１】
＝＝＝第１実施形態＝＝＝
以下、本発明に係る吸収性物品として生理用ナプキンを例に挙げて実施形態を説明するが、生理用ナプキンに限らず、パンティーライナー、又は軽失禁用パッド等のように、使用者の着衣に固定して使用する吸収性物品であればよい。
【００３２】
＜＜生理用ナプキン１の構成＞＞
図１は、生理用ナプキン１（以下「ナプキン」という）を肌側から見た平面図である。図２は、ナプキン１を非肌側から見た平面図である。図３は、図１中のＡ−Ａ線におけるナプキン１の概略断面図である。図４は、図３に示す概略断面図のうち幅方向の端部を説明する図である。図５は、図４中の部分Ｚについて拡大した図である。
【００３３】
ナプキン１は、互いに直交する長手方向、幅方向、及び厚さ方向を有する。ナプキン１の長手方向において、使用者の下腹部に当接する側を「前側」といい、使用者の臀部に当接する側を「後側」という。また、ナプキン１の厚さ方向において、使用者の肌に当接する側を「肌側」といい、その反対側を「非肌側」という。図中のＸ−Ｘ線は幅方向における中心線である。なお、図３〜図５において、厚さ方向についての寸法は必ずしも正確ではない。さらに、便宜上、図４において、本体接合部５ａを除く接着剤ＨＭＡは省略しており、図５において、全ての接着剤ＨＭＡを省略して示している。
【００３４】
ナプキン１は、長手方向の中央部から幅方向の両外側に延出した一対のウイング部１Ｗを有している。以下、ナプキン１の長手方向において、ウイング部１Ｗが設けられた部分を中央部１Ｂ、中央部１Ｂより前側の部分を前側部１Ａ、中央部１Ｂより後側の部分を後側部１Ｃという。
【００３５】
また、ナプキン１の幅方向の中央部には、トップシート２、セカンドシート３、吸収体１０、バックシート４、及びサイドシート５を有している。
【００３６】
厚さ方向において、トップシート２、セカンドシート３、吸収体１０、サイドシート５及びバックシート４が積層されている。トップシート２、セカンドシート３、吸収体１０、バックシート４及びサイドシート５はそれぞれホットメルト接着剤等の接着剤ＨＭＡを用いて接合固定されている。接着剤は、各部材の肌面側及び非肌面側のそれぞれに亘って任意の塗布パターンで塗布されており、Ωパターンやスパイラルパターン、ストライプパターン等の塗布パターンから選択することができる。
【００３７】
トップシート２は、着用状態において、その大部分が着用者の肌に当接する「肌側シート」である。トップシート２は、疎水性の熱可塑性の合成樹脂フィルムであり、例えば、ポリエチレン（ＰＥ）やポリプロピレン（ＰＰ）のシート部材である。また、トップシート２は、厚さ方向に貫通した略円形状の複数の貫通孔Ｈを複数有している。貫通孔Ｈを設けることで、着用中に膣口から排出された排泄物が貫通孔Ｈから吸収体１０へ移動させやすくなり、トップシート２の肌側面で排泄物が広がってしまう恐れを軽減させる。
【００３８】
トップシート２の「疎水性」とは、肌側面の表面に液体が滴下された場合において液体が広がりにくい特性をいう。好ましくは、滴下された液体が９０°より大きい接触角を有する状態となる特性を有するものが好ましい。この疎水性の状態を担保できる限りにおいて、トップシート２に親水処理を行ってもよい。
【００３９】
セカンドシート３は、トップシート２と吸収体１０との間に配置された「中間シート」である。セカンドシート３は、液透過性のシート部材であり、エアスルー不織布、スパンボンド不織布等を例示できる。
【００４０】
トップシート２とセカンドシート３は、接着剤ＨＭＡによって接着された一体の状態で、吸収体１０を幅方向の端部を包むように巻き込み、吸収体１０の非肌側面に、吸収体接合部１０ａで接着剤ＨＭＡによって接合固定されて、トップシート２、セカンドシート３及び吸収体１０が一体となった吸収性本体１００を構成する。なお、各部材同士を接合固定する接着剤ＨＭＡにおいて、全領域に接着剤を塗布する必要はない。特に、トップシート２とセカンドシート３との間の接着剤ＨＭＡとして塗布する接着剤の量や領域、塗布パターンを調整することで、吸収性本体１００のうち、後述の一対の本体接合部５ａより幅方向の外側の柔軟性を確保することができ、肌触りを向上させることができる。
【００４１】
吸収性本体１００の非肌側の面と、サイドシート５の肌側の面とを本体接合部５ａでホットメルト等の接着剤を用いて接合している。図１に示すように、本体接合部５ａは、長手方向に沿った連続形状であり、幅方向の両側の端部に、ナプキン１の幅方向の中心線Ｘ−Ｘ線について対称な位置に配置されている。本実施形態において、サイドシート５を非肌側シートとして説明するが、バックシート４を非肌側シートとしてもよいし、バックシート４とサイドシート５とを合わせたものを非肌側シートとしてもよい。また、バックシート４やサイドシート５とは異なる別のシート部材を配置して、トップシート２の先端部と接合してもよい。
【００４２】
トップシート２の幅方向における最も外側の端は、肌側側端２ｅである。トップシート２は、幅方向の両側の端部に肌側折り返し部２ｈを有し、肌側側端２ｅは、肌側折り返し部２ｈの幅方向の最も外側の端でもある。トップシート２のうち幅方向において、吸収体１０より外側で、且つ、厚さ方向において吸収体１０の中心１０ｃより肌側は、肌側部位２ｓであり、吸収体１０より外側で、且つ、厚さ方向において吸収体１０の中心より非肌側は、非肌側部位２ｕである。肌側部位２ｓと非肌側部位２ｕとをからなる領域を肌側折り返し部２ｈともいう。
【００４３】
セカンドシート３の幅方向における最も外側の端は、中間側端３ｅである。セカンドシート３は、幅方向の両側の端部に中間折り返し部３ｈを有し、中間側端３ｅは、中間折り返し部３ｈの幅方向の最も外側の端でもある。中間折り返し部３ｈは、吸収体１０より幅方向において外側の部分をいう。長手方向におけるトップシート２とセカンドシート３との長さは略同じである。また、吸収性本体１００の状態からトップシート２とセカンドシート３をそれぞれ展開した状態において、幅方向の長さは、セカンドシート３の方がトップシート２より短い。図４等に示すように、吸収性本体１００の状態において、中間折り返し部３ｈの先端は、本体接合部５ａの一部と厚さ方向で重なっており、本体接合部５ａの外側の側端５ｅより幅方向の内側に位置している。
【００４４】
バックシート４は、液不透過性のシート部材であり、ポリエチレン（ＰＥ）の樹脂フィルム等を例示できる。バックシート４は、平面サイズが吸収体１０より大きく、吸収体１０の平面全体を覆っている。サイドシート５は、疎水性のシート部材であり、エアスルー不織布、スパンボンド不織布等を例示できる。バックシート４及びサイドシート５は、一体となったトップシート２、セカンドシート３及び吸収体１０より非肌側に位置している。
【００４５】
ウイング部１Ｗは、トップシート２等の幅方向の両側部から外側に延出しているバックシート４及びサイドシート５によって形成されている。なお、ナプキン１がウイング部１Ｗを有さない形態であってもよい。
【００４６】
ナプキン１の非肌側面（つまり、バックシート４の非肌側面）には、接着剤が塗布される等した中央粘着部８が設けられている。中央粘着部８は、図２では長手方向に長辺を有する長方形状の１０個の中央粘着部８が幅方向に間隔を空けて配置されているが、中央粘着部８の形状、数、及び配置はこれに限られない。中央粘着部８がナプキン１の使用時に下着等の着衣の肌側面に貼り付けられることで、ナプキン１は下着等に固定される。
【００４７】
同様に、各ウイング部１Ｗの厚さ方向の非肌側面（バックシート４の非肌側綿）には、ウイング粘着部９が設けられている。ウイング粘着部９は、図２では、長手方向に長辺を有する長方形状のウイング粘着部９が配置されているが、ウイング粘着部９の形状、数、及び配置はこれに限られない。ナプキン１の使用時にウイング部１Ｗは非肌側に折り曲げられ、ウイング粘着部９は、下着等の非肌側面に張り付けられる。これにより、ウイング部１Ｗは下着等に固定される。
【００４８】
吸収体１０は、排泄物を吸収して内部に保持する部材である。図３、図４に示すように、吸収体１０は、吸収性コア１１と吸収性ポリマーシート１２とを有している。吸収体１０のうち、肌側に吸収性コア１１を配置し、非肌側に吸収性ポリマーシート１２を配置する。また、吸収性コア１１の幅方向の長さは、吸収性ポリマーシート１２の幅方向の長さより長く、吸収性コア１１の長手方向の長さは、吸収性ポリマーシート１２の長手方向の長さより長い。
【００４９】
吸収性コア１１は、液体吸収性繊維を所定の形状に成形した集合体１１１と、集合体の非肌側に配置したカバーシート１１２を有する。集合体１１１の液体吸収性繊維としては、パルプ繊維やセルロース系吸収性繊維等を例示することができ、カバーシート１１２は、液透過性のシート部材であり、エアスルー不織布、スパンボンド不織布等を例示できる。集合体１１１はカバーシート１１２に、ホットメルト等の接着剤で固定されている。カバーシート１１２は、集合体１１１の長手方向の長さと略同じで、且つ、集合体１１１の幅方向の長さと略同じであることが好ましい。本実施形態において、吸収性コア１１は、平面視で略砂時計形状に形成されており、長手方向の中央部に括れを有する形状であるが、吸収性コア１１の形状はこれに限られない。長方形等の所定の形状の吸収性コア１１を用いることができる。
【００５０】
なお、吸収性コア１１は、集合体の肌側面に液体透過性のティッシュ等のシートを有しておらず、集合体１１１の液体吸収性繊維がセカンドシート３に当接していることが好ましい。一般的にティッシュ等の液体透過性シートにおいて液体は平面方向へ拡散しやすいため、吸収性コア１１の肌側面に液体透過性シートを設けないことで、着用者の膣口に当接する股間部位で吸収した排泄物が吸収性コア１１の肌側面で拡散してしまって、ナプキン１の幅方向の外側から排泄物が漏れてしまう恐れを軽減させることができる。
【００５１】
吸収性ポリマーシート１２は、液体吸収性粒状物である高吸収性ポリマー１２１（所謂ＳＡＰ）等を肌側面及び非肌側面からそれぞれティッシュ等の液体透過性シート１２２で挟んだシート状の吸収体である。
【００５２】
図１等に示すように、吸収性本体１００のうち、一対の本体接合部５ａより幅方向の外側は、サイドシート５に固定されていない。そのため、着用状態において、ウイング部１Ｗが着衣に固定された場合でも、着用者の身体に当接する状態とすることができる。これによって、着用者は、ウイング部１Ｗ、つまり、ナプキン１を着衣に固定しつつも、吸収性本体１００を着用者の股間の動きに追従させやすくなるため、ナプキン１の装着性を向上させることができる。
【００５３】
また、ナプキン１は、吸収性本体１００の幅方向の端部領域に排泄物が到達してしまう恐れを軽減させるために、疎水性の樹脂シートをトップシート２として用いている。疎水性の樹脂シートは、平面的に排泄物が拡散してしまうことを防ぎつつ、排泄物を、トップシート２に設けられた複数の貫通孔Ｈから厚さ方向の吸収体１０に向かって落下させ、吸収体１０に移動させやすくしている。これによって、排泄物をより早く吸収体１０で排泄物を留めさせやすくすることができる。
【００５４】
さらに、吸収体１０に対して厚さ方向に力を加えた場合、例えば、着用中において、着用者が座った状態等、着用者の体圧をナプキン１の厚さ方向に対して加えた場合において、吸収体１０が押し潰されて、吸収体１０に留められた排泄物がナプキン１の幅方向の外側に漏れてしまわないように、以下の構成を有している。
【００５５】
図１中のＡ−Ａは、ウイング部１Ｗの長手方向におけるウイング中央Ａ−Ａであり、幅方向における、吸収体１０の側端と肌側折り返し部２ｈの肌側側端２ｅとの距離が最も長い部分である。なお、吸収性コア１１の幅方向の長さが、吸収性ポリマーシート１２の幅方向の長さより長いことから、吸収体１０の側端とは、吸収性コア１１の幅方向の側端１１ｅである。
【００５６】
図４等に示すように、ウイング中央Ａ−Ａの断面において、一対の本体接合部５ａの幅方向の外側の側端５ｅが、吸収性コア１１の側端１１ｅより幅方向の外側に配置されている。このとき、中間折り返し部３ｈを有するセカンドシート３が吸収性コア１１の端部の側面の全域を覆っている。なお、吸収性コア１１の側部とは、吸収性コア１１の幅方向における側部をいい、セカンドシート３が吸収性コア１１の幅方向の端部の側面の全域を覆っている。ただし、セカンドシート３やトップシート２が吸収性コア１１の長手方向の端部の側面を覆っていてもよい。
【００５７】
これによって、排泄物を吸収した状態の吸収体１０に厚さ方向の力が加えられた場合に、吸収性コア１１の側部から排泄物が漏れ出てしまった場合でも、まず、吸収性コア１１の側部の全域を覆っているセカンドシート３が排泄物を吸収し、セカンドシート３から漏れ出てしまった排泄物をトップシート２において吸収することができるため、排泄物がナプキン１の幅方向の端部から漏れてしまう恐れを軽減させることができる。特に、吸収性コア１１の側部の全域を覆うことによって、吸収性コア１１の側部に対して、セカンドシート３及びトップシート２がそれぞれ袋状に配置されることになる。そのため、セカンドシート３の内側やトップシート２の内側に排泄物を留めやすくなり、排泄物がナプキン１から漏れてしまう恐れを軽減させやすくなる。
【００５８】
同様に、セカンドシート３が、吸収性ポリマーシート１２の側部の全域を覆っていることが好ましい。さらに、より好ましくは、本体接合部５ａの外側の側端５ｅより幅方向の内側に位置しているとよい。つまり、セカンドシート３が、吸収体１０の側部の全域を覆っていることが好ましい。これによって、吸収性ポリマーシート１２の側部から漏れ出た排泄物を、まず、セカンドシート３が、セカンドシート３の内側に留めやすくさせ、さらに、排泄物を外側に位置するトップシート２の内側に留めさせやすくするため、ナプキン１の幅方向の外側に漏れてしまう恐れをより軽減させやすくなる。なお、吸収性ポリマーシート１２の側部とは、吸収性ポリマーシート１２の幅方向の端部の側面の全域をいい、セカンドシート３が吸収性ポリマーシート１２の幅方向の端部の側面の全域を覆っている。ただし、セカンドシート３やトップシート２が吸収性ポリマーシート１２の長手方向の端部の側面を覆っていてもよい。
【００５９】
さらに、貫通孔Ｈによって、一旦吸収体１０に貯留された排泄物がトップシート２の肌側面側に戻らないようにすることが好ましい。複数の貫通孔Ｈは、略同じ形状、略同じ大きさで、トップシート２の略全域に亘って、千鳥状に配置されている。各貫通孔Ｈは、吸収体１０側に凸部ｐを有している。このとき、凸部ｐの頂部に貫通孔Ｈが設けられている。つまり、トップシート２は、セカンドシート３に当接しうる凸部ｐと、セカンドシート３に当接しない凹部ｒとを備えた凸凹形状を有している。このとき、吸収体１０側の貫通孔Ｈの大きさ、具体的には直径（幅方向における長さ）ｄより、吸収体１０とは反対側の貫通孔Ｈの大きさ、具体的には直径Ｄが大きいことが好ましい。特に、トップシート２のうち、幅方向において、吸収性コア１１の側端１１ｅより内側で、且つ、吸収体１０より肌側において折り返されていない非折り返し部Ｎにおいて、吸収体１０側の貫通孔Ｈの直径ｄより、吸収体１０とは反対側である肌側の貫通孔Ｈの直径Ｄが大きいことが好ましい。非折り返し部Ｎにおいて、肌側の貫通孔Ｈの直径Ｄをより大きくすることで、着用状態で肌側面に排泄された排泄物を貫通孔Ｈ内に入れやすくなり、より早く排泄物を吸収体１０で吸収させやすくなる。一方、吸収体１０側の貫通孔Ｈの直径ｄをより小さくすることで、既に吸収体１０に吸収された排泄物がトップシート２の肌側面に戻ってしまう恐れを軽減させやすくなる。例えば、ナプキン１の吸収体１０に対して厚さ方向に力が加えられた場合に、吸収体１０が押し潰されて一旦吸収された排泄物が肌側面に戻りそうになる場合でも、貫通孔Ｈの吸収体１０側の直径ｄが小さいため、排泄物が通るための入口が小さいために、トップシート２の肌側面に排泄物が到達しづらくさせることができる。
【００６０】
また、図１に示すように、吸収性ポリマーシート１２の幅方向の長さが、吸収性コア１１の幅方向の長さより短くすることで、ナプキン１の幅方向の外側に排泄物が漏れてしまう恐れをより軽減させることができる。吸収性ポリマーシート１２のように、ティッシュ等の液体透過性シート１２２で高吸収性ポリマー１２１を挟んでいる場合、液体透過性シート１２２によって幅方向の外側に排泄物が拡散してしまう恐れがある。このような場合においても、吸収性ポリマーシート１２が備える液体透過性シート１２２より幅方向の長さが長い吸収性コア１１を備えることで、吸収性コア１１が吸収性ポリマーシート１２の幅方向の外側に到達した排泄物を吸収性コア１１が吸収することができるため、ナプキン１の幅方向の外側に排泄物が漏れてしまう恐れを軽減させることができる。
【００６１】
さらに、吸収性ポリマーシート１２の幅方向の長さが、吸収性コア１１の幅方向の長さより短いことで、ナプキン１の肌側面に排泄物が存在する状態を軽減させやすくすることができる。一般的に、吸収性コア１１と吸収性ポリマーシート１２を有する吸収体１０が排泄物を吸収した状態においては、液体吸収性繊維を備えた吸収性コア１１より高吸収性ポリマーを備えた吸収性ポリマーシートの方がより多くの排泄物を貯留した状態であること場合が多い。このような吸収体１０に対して厚さ方向に力を加えると、吸収性ポリマーシート１２に留められた排泄物が肌側面に移動してしまう恐れがある。この点、吸収性ポリマーシート１２より幅方向の長さが広い吸収性コア１１が肌側に設けられていることで、吸収性ポリマーシート１２から肌側に移動した排泄物を吸収性コア１１が吸収して、トップシート２の肌側面まで到達しづらくさせることができる。これによって、トップシート２に表面に排泄物が存在する状態を軽減させやすくなるため、着用者が着用中に肌で感じるべたつき等の不快感を軽減させやすくなる。
【００６２】
図１に示すように、ナプキン１は、長手方向に沿った線状圧搾部Ｅを有していることが好ましい。線状圧搾部Ｅは、トップシート２、セカンドシート３、及び吸収性コア１１を厚さ方向に圧搾した線状圧搾部であり、それぞれの部材における繊維の密度が、圧搾をしていない部分より高くなっている。そのため、線状圧搾部Ｅに到達した排泄物が、毛細管現状によって、厚さ方向に移動されやすくなる。つまり、ナプキン１のうち、着用者の膣口に当接する部分で吸収した排泄物が幅方向に拡散されて、線状圧搾部Ｅに到達すると、吸収性コア１１まで厚さ方向に排泄物を移動させやすくなる。また、線状圧搾部Ｅが長手方向に沿っていることで、排泄物が線状圧搾部Ｅに沿って拡散しやすくなる。一方、吸収性ポリマーシート１２が、厚さ方向に圧搾されていないことで、圧搾によって吸収性ポリマーが潰れて硬くなってしまう恐れを軽減し、吸収性コア１１から移行された排泄物を素早く吸収することができる。
【００６３】
また、図４に示すように、吸収体の一方側の側端から本体接合部５ａの側端５ｅまでの距離Ｄａが、肌側折り返し部２ｈの最も一方側の外側の端である側端２ｅから本体接合部５ａの側端５ｅまでの距離Ｄｈより短いことが好ましい（Ｄａ＜Ｄｈ）。これによって、吸収体の一方側の側端から本体接合部５ａの側端５ｅまでの距離Ｄａが、肌側折り返し部２ｈの最も一方側の外側の端である側端２ｅから本体接合部５ａの側端５ｅまでの距離Ｄｈ以上である場合よりも、吸収性本体１００を着用者の身体の動きに沿いやすくさせることができる。つまり、吸収性本体１００において、柔らかい領域をより広くさせることで、吸収性本体１００が柔軟に動きやすくなり、着用者への肌当たりも向上する。
【００６４】
トップシート２は、複数の貫通孔Ｈを有しており、トップシート２のうち、肌側部位２ｓは肌側貫通孔Ｈｓ、非肌側部位２ｕは非肌側貫通孔Ｈｕを有する。図５に示すように、ウイング中央Ａ−Ａの断面において、肌側貫通孔Ｈｓの幅方向の中心線Ｃｓは、吸収性コア１１（吸収体１０）の側端１１ｅより外側であって、且つ、吸収性コア１１の側端１１ｅに最も近接している。同様に、非肌側貫通孔Ｈｕの幅方向の中心線Ｃｕは、吸収性コア１１（吸収体１０）の側端１１ｅより外側であって、且つ、吸収性コア１１の側端１１ｅに最も近接している。この中心線Ｃｓと中心線Ｃｕがずれていることが好ましい。具体的には、図５においては、中心線Ｃｓが中心線Ｃｕより幅方向において内側に設けられている。つまり、肌側貫通孔Ｈｓと非肌側貫通孔Ｈｕが厚さ方向において完全に重なっていないため、吸収性本体１００の端部に肌側面から排泄物を吸収した場合においても、排泄物を貫通孔Ｈから通過させてしまう恐れを軽減させることができる。
【００６５】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【００６６】
上述の実施形態においては、トップシート２として疎水性の熱可塑性の合成樹脂フィルムを用いたが、これに限られない。例えば、不織布等の親水性のシート部材を用いても良い。親水性のシート部材をトップシート２として用いた場合でも、貫通孔Ｈを備えることで、吸収体１０への排泄物の吸収を誘導しやすくなる。
【００６７】
上述の実施形態においては、トップシート２の略全域に亘って凸部ｐと貫通孔Ｈを設けたがこれに限られない。例えば、凸部ｐ及び貫通孔Ｈを、着用中に着用者の膣口に当接し、排泄物を最初に吸収する股下部分にのみ設けるものであってもよい。このような場合であっても、股下部分で吸収した排泄物を幅方向に拡散する前に吸収体１０に吸収させやすくなるため、ナプキン１の幅方向の外側から排泄物が漏れる恐れを軽減させることができる。
【００６８】
また、上述の実施形態においては、中間折り返し部３ｈの先端は、本体接合部５ａの一部と厚さ方向で重なるものであったが、これに限られない。図６は、別の実施形態におけるナプキン１の部分Ｚに相当する部分を説明する図である。図６に示すように、中間折り返し部３ｈの先端は、本体接合部５ａの一部と厚さ方向で重ならず、中間折り返し部３ｈの先端が、本体接合部５ａの側端５ｅより幅方向の外側に位置するものであってもよい。本体接合部５ａにセカンドシート３が重なっていないことで、本体接合部５ａや一体とされたトップシート２とセカンドシート３と吸収体１０の幅方向の端部における剛性をより低くさせることができる。これによって、着用状態において、ナプキン１を着衣に固定した状態で、一体とされたトップシート２とセカンドシート３と吸収体１０とを着用者の身体に沿わせやすくなるため、着用者にとって装着性が向上する。
【００６９】
上述の実施形態においては、一対の本体接合部５ａは、ナプキン１の長手方向に沿った連続形状で、ナプキン１の幅方向の中心線Ｘ−Ｘ線について対称な位置に設けたがこれに限られない。本体接合部５ａを間欠な状態で設けてもよく、また、中心線Ｘ−Ｘについて非対称である位置に設けてもよい。
【００７０】
さらに、上述の実施形態においては、吸収体の一方側の側端から本体接合部５ａの側端５ｅまでの距離Ｄａが、肌側折り返し部２ｈの最も一方側の外側の端である側端２ｅから本体接合部５ａの側端５ｅまでの距離Ｄｈより短いものであったが（Ｄａ＜Ｄｈ）、これに限られない。吸収体１０の一方側の側端から、本体接合部５ａの一方側の外側の側端５ｅまでに距離Ｄａが、肌側折り返し部２ｈの一方側の側端２ｅから、本体接合部５ａの一方側の外側の側端５ｅまでの距離Ｄｈ以上であってもよい（Ｄａ≧Ｄｈ）。肌側折り返し部２ｈが本体接合部５ａの外側の側端５ｅで肌側に折れ曲がっても、肌側折り返し部２ｈは、吸収性コア１１の側端１１ｅまで届かない。このような構成とすることで、排泄物を吸収した状態のナプキン１に対して肌側から厚さ方向に圧力を加えた場合でも、吸収性コア１１から肌側に漏れ出た排泄物が肌側折り返し部２ｈに付着する恐れを軽減させることができる。これによって、肌側折り返し部２ｈに付着した排泄物によって、ナプキン１の幅方向の外側に排泄物が漏れてしまう恐れを軽減させることができる。
【００７１】
上述の実施形態においては、吸収性コア１１と吸収性ポリマーシート１２とを厚さ方向に重ねた吸収体１０を用いたがこれに限られない。例えば、吸収体１０として、吸収性コア１１のみであってもよいし、吸収性ポリマーシート１２のみであってもよい。また、吸収性コア１１が吸収性ポリマーを有していてもよい。
【符号の説明】
【００７２】
１  ナプキン（吸収性物品）、１Ａ  前側部、１Ｂ  中央部、１Ｃ  後側部、１Ｗ  ウイング部、２  トップシート（肌側シート）、２ｈ  肌側折り返し部、２ｅ  肌側側端、２ｓ  肌側部位、２ｕ  非肌側部位、３  セカンドシート（中間シート）、３ｈ  中間折り返し部、３ｅ  中間側端、４  バックシート、５  サイドシート（非肌側シート）、５ａ  本体接合部（接合部）、８  中央粘着部、９  ウイング粘着部、１０  吸収体、１０a  吸収体接合部、１０ｃ  中心、１００  吸収性本体、１１  吸収性コア（吸収体、集合体）、１１ｅ  側端、１１１  集合体、１１２  カバーシート、１２  吸収性ポリマーシート（吸収体）、１２１  高吸収性ポリマー、１２２  液体透過性シート、Ｅ  線状圧搾部、Ｈ  貫通孔、ＨＭＡ  接着剤、Ｎ  非折り返し部、ｐ  凸部
【図１】
2020036754.tif 000003
【図２】
2020036754.tif 000004
【図３】
2020036754.tif 000005
【図４】
2020036754.tif 000006
【図５】
2020036754.tif 000007
【図６】
2020036754.tif 000008